(57)【要約】  【課題】記録シートの枚数に応じて、表紙／背表紙／裏表紙の印刷領域への拡大又は縮小割付けを自動的に行い得る印刷システムを提供する。  【解決手段】印刷原稿データに対して所定サイズの表紙シートの印刷データを生成し、くるみ製本印刷を行う印刷システムにおいて、製本する記録シートの束に応じて、背表紙幅、表紙及び裏表紙の印刷領域を算出し、それぞれの印刷原稿データを、算出した印刷領域に応じて拡大又は縮小して割り付け、表紙シートの印刷データを生成する。これにより、ユーザがレイアウトの細かい部分まで調整しなくても、くるみ印刷を行うことができる。【選択図】図８
2008117146.tif 000002
【特許請求の範囲】
【請求項１】
印刷原稿データに対して所定サイズの表紙シートの印刷データを生成し、くるみ製本印刷を行う印刷システムにおいて、
製本する記録シートの束に応じて、背表紙幅、表紙及び裏表紙の印刷領域を算出し、それぞれの印刷原稿データを、算出した印刷領域に応じて拡大又は縮小して割り付け、表紙シートの印刷データを生成することを特徴とする印刷システム。
【請求項２】
印刷原稿データに対して所定サイズの表紙シートの見返し部分の印刷データを生成し、くるみ製本印刷を行う印刷システムにおいて、
製本する記録シートの束に応じて、背表紙幅、表紙見返し部分及び裏表紙見返し部分の印刷領域を算出し、表紙見返し部分及び裏表紙見返し部分の印刷原稿データを、算出した印刷領域に応じて拡大又は縮小して割り付け、表紙シートの見返し部分の印刷データを生成することを特徴とする印刷システム。
【請求項３】
表紙部分の印刷原稿データ、裏表紙部分の印刷原稿データ、および背表紙部分の印刷原稿データが印刷データ生成部に記憶され、印刷データ生成部では、これらの印刷原稿データを、算出した印刷領域に応じて拡大又は縮小して割り付け、表紙シートの印刷データを生成することを特徴とする請求項１に記載の印刷システム。
【請求項４】
表紙見返し部分の印刷原稿データ、及び裏表紙見返し部分の印刷原稿データが印刷データ生成部に記憶され、印刷データ生成部では、これらの印刷原稿データを、算出した印刷領域に応じて拡大又は縮小して割り付け、表紙シートの印刷データを生成することを特徴とする請求項２に記載の印刷システム。
【請求項５】
印刷原稿データに対して所定サイズの表紙シートの印刷データを生成し、くるみ製本印刷を行う印刷システムにおいて、
背表紙を含む表紙及び裏表紙の印刷原稿データが、単一の印刷原稿データとして作成され、かつ表紙シートと同一サイズで作成されているとき、前記印刷原稿データと等倍率で印刷データを生成することを特徴とする印刷システム。
【請求項６】
印刷原稿データに対して所定サイズの表紙シートの見返し部分の印刷データを生成し、くるみ製本印刷を行う印刷システムにおいて、
表紙見返し部分及び裏表紙見返し部分の印刷原稿データが、単一の印刷原稿データとして作成され、かつ表紙シートと同一サイズで作成されているとき、前記印刷原稿データと等倍率で印刷データを生成することを特徴とする印刷システム。
【請求項７】
印刷原稿データに対して所定サイズの表紙シートの印刷データを生成し、くるみ製本印刷を行う印刷システムにおいて、
表紙及び裏表紙の印刷原稿データが、単一の印刷原稿データとして作成されているとき、これらの印刷原稿データを2分割し、分割された夫々の原稿データを表紙原稿データ及び裏表紙原稿データとして扱い、
製本する記録シートの束に応じて、背表紙幅、表紙及び裏表紙の印刷領域を算出し、前記表紙原稿データ及び裏表紙原稿データを、算出した印刷領域に応じて拡大又は縮小して割り付け、表紙シートの印刷データを生成することを特徴とする印刷システム。
【請求項８】
印刷原稿データに対して所定サイズの表紙シートの見返し部分の印刷データを生成し、くるみ製本印刷を行う印刷システムにおいて、
表紙見返し部分及び裏表紙見返し部分の印刷原稿データが、単一の印刷原稿データとして作成されているとき、これらの印刷原稿データを2分割し、分割された夫々の原稿データを表紙見返し用原稿データ及び裏表紙見返し用原稿データとして扱い、
製本する記録シートの束に応じて、背表紙幅、表紙見返し部分及び裏表紙見返し部分の印刷領域を算出し、前記表紙見返し用原稿データ及び裏表紙見返し用原稿データを、算出した印刷領域に応じて拡大又は縮小して割り付け、表紙シートの印刷データを生成することを特徴とする印刷システム。
【請求項９】
くるみ印刷後に断裁を行う場合、それぞれの印刷データを、対応する夫々の印刷領域を少しはみ出す大きさに拡大又は縮小することを特徴とする請求項１に記載の印刷システム。
【請求項１０】
表紙シートの表紙部分および見返し部分の印刷データを生成する印刷データ生成部と、該印刷データ生成部で生成された印刷データを表紙シートに印刷するプリンタ部とを備え、印刷データ生成部とプリンタ部とがネットワークを通じて接続されたことを特徴とする請求項１〜９のいずれかに記載の印刷システム。
【発明の詳細な説明】
【技術分野】
【０００１】
本発明は、製本機能、特に、画像記録される記録シートの２倍のサイズの表紙シートで記録シートの束をくるみ製本する機能を有する印刷システムに関する。
【背景技術】
【０００２】
製本機能を有する印刷システムの一例として、特許文献１には、表紙専用用紙のサイズが、画像記録される用紙のサイズと異なる場合、用紙サイズの不一致を示すためのアラームを外部に出力するとともに、用紙サイズ設定手段により任意の収納手段に対して収納用紙のサイズを設定する用紙サイズ設定モードに自動的に移行し、この用紙サイズ設定モードにおいて表紙専用用紙と画像記録される用紙とのサイズが一致するように用紙サイズの設定を完了した後には、用紙サイズ設定モードに移行する直前の表紙モードの設定状態に復帰するようにし、これにより、表紙モードを設定するためのデータ入力又は設定を最初からやり直す必要をなくし、表紙モードを設定する際の操作性を向上させることができる画像形成装置が開示されている。
【０００３】
また、特許文献２には、印刷原稿データの倍の用紙サイズで表紙用紙の印刷データを作成して、表紙用紙に印刷する表紙／裏表紙用の印刷データを印刷原稿の倍の用紙サイズで作成するくるみ製本機能を備えた画像形成装置も出現している。
【特許文献１】特開平１０−１９８２２３号公報
【特許文献２】特開２００３−２５９０５１号公報
【発明の開示】
【発明が解決しようとする課題】
【０００４】
しかしながら、特許文献１，２では、ユーザが、原稿量、すなわち、記録シートの束の大きさに応じて、表紙用紙に印刷する表紙／背表紙／裏表紙用の印刷データのレイアウトを変更し細かく調整しなければならなかった。
【０００５】
本発明は、上記に鑑み、記録シートの枚数に応じて、表紙／背表紙／裏表紙の印刷領域への拡大又は縮小割り付けを自動的に行い得る印刷システムの提供を目的とする。
【課題を解決するための手段】
【０００６】
上記目的を達成するために、本発明は、印刷原稿データに対して所定サイズの表紙シートの印刷データを生成し、くるみ製本印刷を行う印刷システムにおいて、製本する記録シートの束に応じて、背表紙幅、表紙及び裏表紙の印刷領域を算出し、それぞれの印刷原稿データを、算出した印刷領域に応じて拡大又は縮小して割り付け、表紙シートの印刷データを生成することを特徴とする。
【０００７】
また、表紙シートの見返し部分に印刷を行うときも、製本する記録シートの束に応じて、背表紙幅、表紙見返し部分及び裏表紙見返し部分の印刷領域を算出し、表紙見返し部分及び裏表紙見返し部分の印刷原稿データを、算出した印刷領域に応じて拡大又は縮小して割り付け、表紙シートの見返し部分の印刷データを生成する。
【０００８】
上記構成によると、例えば、印刷原稿がＡ４の場合、表紙／背表紙／裏表紙用として表紙シートがＡ３シートを使用するとき、原稿量、つまり、記録シートの枚数により背表紙幅が変わるので、これに応じて背表紙幅（のり代）と、表紙／裏表紙それぞれの印刷領域を自動計算して、表紙／裏表紙のそれぞれ印刷原稿を、算出した印刷領域に応じて拡大又は縮小して割り付け、表紙用紙の印刷データを生成する。これにより、ユーザがレイアウトの細かい部分まで調整しなくても、くるみ印刷を行うことができる。
【０００９】
また、表紙部分の印刷原稿データ、裏表紙部分の印刷原稿データ、および背表紙部分の印刷原稿データは印刷データ生成部の記憶部に予め記憶されているので、これらの原稿データを、算出した印刷領域に応じて拡大又は縮小して割り付け、表紙シートの印刷データを生成する。
【００１０】
また、背表紙を含む表紙及び裏表紙の印刷原稿データが、単一の印刷原稿データとして作成され、かつ表紙シートと同一サイズで作成されているとき、前記印刷原稿データと等倍率で印刷データを生成する。これにより、表紙／裏表紙を見開きで作成した場合、表紙／裏表紙分の背表紙幅の自動計算と、印刷領域への自動拡大／縮小を不要とし、より見栄えのよい表紙／裏表紙を作成することができる。
【００１１】
また、表紙及び裏表紙の印刷原稿データが、単一の印刷原稿データとして作成されているとき、これらの印刷原稿データを2分割し、分割された夫々の原稿データを表紙原稿データ及び裏表紙原稿データとして扱い、製本する印刷物の束に応じて、背表紙幅、表紙及び裏表紙の印刷領域を算出し、前記表紙原稿データ及び裏表紙原稿データを、算出した印刷領域に応じて拡大又は縮小して割り付け、表紙シートの印刷データを生成する。
【００１２】
上記構成によると、例えば、最初からＡ３サイズで表紙／裏表紙の原稿が作成されていた場合、Ａ３サイズの原稿を半分にしてＡ４サイズの２枚分に分割する。分割された原稿データは、表紙用原稿データおよび裏表紙用原稿データとして扱うことになるので、表紙／裏表紙を見開きで作成した場合でも、背表紙幅部分に印刷を行わないことにより、見栄えのよい表紙／裏表紙を作成することができる。
【００１３】
また、くるみ印刷後に断裁を行う場合、それぞれの印刷データを、対応する夫々の印刷領域を少しはみ出す大きさに拡大又は縮小する。そうすると、前面印刷（ボイド領域無し）されているような効果が得られる。
【００１４】
このような印刷システムは、表紙シートの表紙部分および見返し部分の印刷データを生成する印刷データ生成部と、該印刷データ生成部で生成された印刷データを表紙シートに印刷するプリンタ部とを備え、印刷データ生成部とプリンタ部とがネットワークを通じて接続される。そのため、外部ＰＣからくるみ製本を簡単に実行することができる。
【発明の効果】
【００１５】
以上のとおり、本発明によると、製本する印刷物の束に応じて、背表紙幅、表紙及び裏表紙の印刷領域を算出し、それぞれの印刷原稿データを、算出した印刷領域に応じて拡大又は縮小して割り付け、表紙シートの印刷データを生成するので、ユーザがレイアウトの細かい部分まで調整しなくても、くるみ印刷を行うことができる。
【発明を実施するための最良の形態】
【００１６】
以下、本発明の実施形態を図面に基づいて説明する。図１は本発明の実施形態に係る印刷システム構成図である。図に示すように、本印刷システムは、プリンタ部１と、印刷データ生成部２とがネットワーク３を介して接続されている。
【００１７】
プリンタ部１は、プリンタ機能を有する種々の画像処理装置であればよく、デジタル複合機が例示できる。印刷データ生成部２は、外部パーソナルコンピュータ（外部ＰＣ）に備えられているが、デジタル複合機等の画像処理装置に一体化されたものであってもよい。
【００１８】
印刷データ生成部２は、データ生成部５、印刷データ送信部６、記憶部８およびプリンタインターフェイス７を有している。
【００１９】
記憶部８では、外部ＰＣのメモリやＨＤＤにより構成される。記憶部８には、表紙部分の印刷原稿データ、裏表紙部分の印刷原稿データ、および背表紙部分の印刷原稿データ、並びに、表紙見返し部分の印刷原稿データ、及び裏表紙見返し部分の印刷原稿データが予め記憶されている。
【００２０】
データ生成部５では、製本する記録シートの束に応じて、背表紙幅、表紙及び裏表紙の印刷領域を算出する。また、データ生成部５では、表紙見返し部分及び裏表紙見返し部分の印刷領域も算出する。そして、データ生成部５では、それぞれの印刷原稿データを、算出した印刷領域に応じて拡大又は縮小して割り付け、表紙シート２２の印刷データを生成する（図７（ｂ）参照）。例えば、図４及び図５に示すような表紙、背表紙および裏表紙を備えた表紙シート２４に印刷データを印字する場合に適用する。
【００２１】
また、データ生成部５は、背表紙を含む表紙及び裏表紙の印刷原稿データや表紙見返し部分及び裏表紙見返し部分の印刷原稿データが、単一の印刷原稿データとして作成され、かつ表紙シートと同一サイズで作成されているとき、前記印刷原稿データと等倍率で印刷データを生成する（図７（ａ）参照）。例えば、図２に示すような、表紙、裏表紙を備え、背表紙のない表紙シート２２に印刷する場合に適用する。
【００２２】
また、データ生成部５は、表紙及び裏表紙の印刷原稿データや表紙見返し部分及び裏表紙見返し部分の印刷原稿データが、単一の印刷原稿データとして作成されているとき、これらの印刷原稿データを2分割し、分割された夫々の原稿データを表紙原稿データ及び裏表紙原稿データ、あるいは表紙見返し用原稿データ及び裏表紙見返し用原稿データとして扱い、製本する記録シートの束に応じて、背表紙幅、表紙及び裏表紙の印刷領域を算出し、前記表紙原稿データ及び裏表紙原稿データ、あるいは表紙見返し用原稿データ及び裏表紙見返し用原稿データを、算出した印刷領域に応じて拡大又は縮小して割り付け、表紙シートの印刷データを生成する。
【００２３】
また、データ生成部５は、くるみ印刷後に断裁を行う場合、それぞれの印刷データを、対応する夫々の印刷領域を少しはみ出す大きさに拡大又は縮小する印刷データを生成する。
【００２４】
これらデータ生成部５で作成されたデータは、印刷データ送信部６およびプリンターインターフェイス７を介してネットワーク３からプリンタ部１に送られる。
【００２５】
また、背表紙幅を算出する記録シートの束の情報は、データ生成部５で自らが作成した情報あるいはプリンタ部１から得られた情報である。この情報に基づいて、データ生成部５では、背表紙幅を算出することができる。
【００２６】
図６は背表紙幅（のり代）を設定するプリンタドライバユーザインターフェイス例である。図６に示すように、背表紙幅は上記記録シートの枚数情報に基づく自動設定と、ユーザによる手動設定とに切換え可能となっている。
【００２７】
プリンタ部１は、外部ＰＣインターフェイス（ＰＣ／ＩＦ）１１、印刷データ受信部１２、印刷データ蓄積部１３、ページデータ割付部１４、印字部１５および後処理部１６を備えている。
【００２８】
印刷データ蓄積部１３は、外部ＰＣ等の印刷データ生成部２からＰＣインターフェイス１１、印刷データ受信部１２を介して受け取った印刷データを一時記憶するメモリであって、読み込まれた印刷データは、ページデータ割付部１４で所定のレイアウトに割り付けられる。
【００２９】
印字部１５は、ページデータ割付部１４でレイアウトされた印刷データを所定の記録シートに印字出力する。
【００３０】
後処理部１６は、印字部１５で印刷した記録シートの所定枚数を束ねてくるみ製本する公知のくるみ製本機能や、記録シートの所定枚数を束ねて綴じる公知のステープル製本処理ができるようになっている。
【００３１】
図２はくるみ製本を例示する斜視図である。表紙シート２２は、表側において、表紙２２ａおよび裏表紙２２ｂが見開き状態で連設し、また、裏面側において、表紙見返し部（表紙裏）２２ｃ、裏表紙見返し部（裏表紙裏）２２ｄが見開きの状態で連設する。
【００３２】
図３は表紙シート２２の印字領域２５、背表紙幅２６、マージン幅２７の関係を説明する図である。マージン幅は表紙シートの上下左右の余白部分であり、表紙シート２２の印字領域２５の設定によって決まってくる。背表紙幅２６は、記録シート２１の束ねる枚数から算出される。
【００３３】
図４はくるみ製本の完成状態を示す斜視図、図５は記録シート束の複数束をさらに纏めて表紙シートでくるみ製本するときの説明図である。くるみ製本は、製本原稿の画像データを読み取った後に、１枚の記録シート２１の片面に２ページ分づつ、表裏両面で合計４ページ分を並べて出力して印刷し、各記録シート２１を重ね合わせて、その中央部で２つ折りにし、その外側から記録シート２１の２倍のサイズの表紙シート２２で包んで小冊子２３を形成する。
【００３４】
そして、図４及び図５に示すように、これらの小冊子２３を複数束まとめて表紙シート２４によって包み、製本を完成する。なお、記録シート２１は、２つ折りにしないで、その端面を２つ折りの表紙シートで包み製本するものであってよい。
【００３５】
本発明は、上記製本における、小冊子２３の表紙シート２２や製本の表紙シート２４の印刷データの生成に関するものである。
【００３６】
図７に表紙シート用印刷原稿データに応じた表紙シート用印刷データの作成例を示す。図７（ａ）はＡ３サイズの表紙シート用印刷原稿データが単一の印刷原稿データとして作成され、かつ表紙シートと同一サイズで作成されているとき、前記印刷原稿データと等倍率でＡ３サイズの印刷データを生成する例を示す。図７（ｂ）は、Ａ４サイズの表紙シート用のそれぞれの印刷原稿データを、算出した印刷領域に応じて縮小して割り付け、Ａ３サイズの表紙シートの印刷データを生成する例を示す。
【００３７】
図８は印刷データの生成フローチャートである。このフローチャートは、Ａ３サイズの表紙シートで表紙／裏表紙／表紙見返し／裏表紙見返しの印刷を行う場合を示す。Ａ３以外の表紙シートの場合は、「Ａ３」を印刷を行う表紙シート、「Ａ４」を印刷を行う表紙シートの半分の大きさの用紙と読み替えて生成動作を実行すればよい。
【００３８】
まず、表紙の印刷データ作成モードにおいて、データ生成部５に格納されている表紙／裏表紙用の原稿データがＡ３サイズか否かを判断する（Ｓ１）。原稿データがＡ３サイズの場合、この原稿データをＡ４サイズの２枚分に分割して扱うか否かを設定する（Ｓ２）。Ａ４サイズの２枚分に分割して扱う場合、Ａ３原稿を２枚に分割し、夫々表紙用Ａ４原稿、裏表紙用Ａ４原稿として扱い（Ｓ３）、次に、トリミング位置に合わせて印刷データを拡大又は縮小するか否かを判断する（Ｓ４）。
【００３９】
原稿データのＡ３サイズをそのまま使用する場合（Ｓ２：Ｎ）、表紙／裏表紙用の印刷データを作成する（Ｓ９）。また、原稿データがＡ４サイズの場合（Ｓ１：Ｎ）、トリミング位置に合わせて印刷データを拡大又は縮小するか否かを判断する（Ｓ４）。
【００４０】
トリミング位置に合わせて印刷データを拡大又は縮小する場合（Ｓ４：Ｙ）、マージン幅、背表紙幅、トリミング位置から算定した印字領域に合わせて原稿の拡大／縮小レイアウト位置を決定する（Ｓ５）。
【００４１】
トリミング位置に合わせない場合（Ｓ４：Ｎ）、マージン幅、背表紙幅から算定した印字領域に合わせて原稿の拡大／縮小レイアウト位置を決定する（Ｓ６）。
【００４２】
そして、次に、背表紙位置に文字／画像を印刷するか否かを設定し（Ｓ７）、印刷する場合、背表紙用印刷データを作成し、レイアウト位置を決定し（Ｓ８）、表紙／裏表紙用の印刷データを作成する（Ｓ９）。背表紙位置に文字／画像を印刷しない場合（Ｓ７：Ｎ）、そのまま表紙／裏表紙用の印刷データを作成する（Ｓ９）。
【００４３】
次に、表紙見返し／裏表紙見返し用の原稿がＡ３サイズか否かを判断する（Ｓ１０）。原稿データがＡ３サイズの場合（Ｓ１０：Ｙ）、この原稿データをＡ４サイズの２枚分に分割して扱うか否かを設定する（Ｓ１１）。Ａ４サイズの２枚分に分割して扱う場合、Ａ３原稿を２枚に分割し、夫々表紙見返し用Ａ４原稿、裏表紙見返し用Ａ４原稿として扱い（Ｓ１２）、次に、トリミング位置に合わせて印刷データを拡大又は縮小するか否かを判断する（Ｓ１３）。
【００４４】
原稿データのＡ３サイズをそのまま使用する場合（Ｓ１１：Ｎ）、表紙見返し／裏表紙見返し用の印刷データを作成する（Ｓ１６）。また、原稿データがＡ４サイズの場合（Ｓ１０：Ｎ）、トリミング位置に合わせて印刷データを拡大又は縮小するか否かを判断する（Ｓ１３）。
【００４５】
トリミング位置に合わせて印刷データを拡大又は縮小する場合（Ｓ１３：Ｙ）、マージン幅、背表紙幅、トリミング位置から算定した印字領域に合わせて原稿の拡大／縮小レイアウト位置を決定する（Ｓ１４）。
【００４６】
トリミング位置に合わせない場合（Ｓ１３：Ｎ）、マージン幅、背表紙幅から算定した印字領域に合わせて原稿の拡大／縮小レイアウト位置を決定する（Ｓ１５）。
【００４７】
そして、次に、表紙見返し用／裏表紙見返し用の印刷データを作成し（Ｓ１６）、印刷データをプリンタ部１に送信する（Ｓ１７）。
【００４８】
なお、上記フローにおける各種設定操作は、印刷データ生成部２におけるキーボード等の入力装置（不図示）において設定するものとする。
【００４９】
次に、上記原稿データの割り付け状態を図９〜図１３に示す。図９はＡ４原稿から拡大／縮小して、Ａ３サイズの表紙シートの印字領域にフィットさせて印刷データを生成する例を示す。
【００５０】
図１０は、Ａ３原稿データを２分割して、Ａ４サイズの表紙原稿データ、Ａ４サイズの裏表紙原稿データとして扱い、これらをＡ３サイズの表紙シートの印字領域に拡大／縮小して割り付けた例を示す。
【００５１】
図１１は、Ａ４サイズの表紙見返し部分の原稿データと、Ａ４サイズの裏表紙見返し部分の原稿データとを拡大／縮小してＡ３サイズの表紙シートの印字領域に割り付けた例を示す。    図１２はＡ３サイズの表紙見返し部分の原稿データを２分割してＡ４サイズの表紙見返し部原稿データと裏表紙見返し原稿データとして扱い、これらの原稿データをＡ３サイズの表紙シートの印字領域に拡大／縮小して割り付けた例を示す。
【００５２】
図１３はＡ４サイズの表紙原稿データと裏表紙原稿データをトリミング位置よりも少し大きめに拡大し、Ａ３サイズの表紙シートに割り付けた例を示す。
【００５３】
このように、本実施形態においては、印刷データ生成部において、記録シートの枚数に応じて、表紙／背表紙／裏表紙の印刷領域への拡大又は縮小の割り付けを自動的に行なうことができるので、操作性に優れかつ見栄えのよい表紙の作成が可能となる。
【００５４】
なお、本発明は、上記実施形態に限定されるものではなく、本発明の範囲内で多くの修正・変更を加えることができるのは勿論である。
【図面の簡単な説明】
【００５５】
【図１】本発明の実施形態を示す印刷システム構成図
【図２】くるみ製本を例示する斜視図
【図３】表紙シートの印字領域、背表紙幅、マージン幅の関係を説明する図
【図４】くるみ製本の完成状態を示す斜視図
【図５】複数の記録シート束をさらに纏めてくるみ製本するときの説明図
【図６】データ生成部における背表紙幅の設定インターフェイスを示す図
【図７】（ａ）（ｂ）は表紙用紙用印刷原稿に応じた表紙用紙用印刷データの作成説明図
【図８】印刷データの生成フローチャート
【図９】Ａ４原稿からＡ３サイズの表紙シートへの印刷データを生成する場合の説明図
【図１０】Ａ３原稿データを２分割してＡ３サイズの表紙シートへ原稿データを割り付ける場合の説明図
【図１１】表紙見返し部分についてのＡ４原稿からＡ３サイズの表紙シートへの印刷データを生成する場合の説明図
【図１２】表紙見返し部分についてのＡ３原稿を２分割してＡ３サイズの表紙シートへ原稿データ割り付ける場合の説明図
【図１３】表紙を断裁するときの印刷データの生成方法を示す説明図
【符号の説明】
【００５６】
１  プリンタ部
２  印刷データ生成部
３  ネットワーク
５  データ生成部
６  印刷データ送信部
７    プリンタインターフェイス
１１  外部ＰＣインターフェイス
１２    印刷データ受信部
１３    印刷データ蓄積部
１４    ページデータ割付部
１５    印字部
１６    後処理部
２１    記録シート
２２    表紙シート
２３    小冊子
２４    表紙シート
２５    印字領域
２６    背表紙幅
２７    マージン幅
【図１】
2008117146.tif 000003
【図２】
2008117146.tif 000004
【図３】
2008117146.tif 000005
【図４】
2008117146.tif 000006
【図５】
2008117146.tif 000007
【図６】
2008117146.tif 000008
【図７】
2008117146.tif 000009
【図８】
2008117146.tif 000010
【図９】
2008117146.tif 000011
【図１０】
2008117146.tif 000012
【図１１】
2008117146.tif 000013
【図１２】
2008117146.tif 000014
【図１３】
2008117146.tif 000015